(57)【要約】【課題】飛翔害虫や、歩行する匍匐害虫を効率よく捕獲できる害虫捕獲器およびこの害虫捕獲器を用いる害虫捕獲方法を提供する。【解決手段】地面から立設された害虫捕獲部２を有し、この捕獲部２は下端が地面に接し、さらに地面と近接した位置に粘着剤下端がある粘着剤層４を備えた害虫捕獲器１であり、害虫捕獲部２の下部には害虫誘導路３が設けられる。【選択図】図１
2020025502.tif 000002
【特許請求の範囲】
【請求項１】
地面から立設された害虫捕獲部を有し、この捕獲部は下端が地面に接し、さらに地面と近接した位置に粘着剤下端がある粘着剤層を備えた害虫捕獲器。
【請求項２】
前記害虫捕獲部の下部に設けられ、少なくとも先端が地面に接し、この先端から前記害虫捕獲部の表面に延びる害虫誘導路をさらに備えた請求項１に記載の害虫捕獲器。
【請求項３】
前記害虫誘導路の表面は、地面に接する先端から前記害虫捕獲部の表面に向かって地面からの高さが大きくなる傾斜面である請求項２に記載の害虫捕獲器。
【請求項４】
前記害虫誘導路が複数の突条である請求項２または３に記載の害虫捕獲器。
【請求項５】
請求項１〜４のいずれかに記載の害虫捕獲器を用いる害虫捕獲方法。
【発明の詳細な説明】
【技術分野】
【０００１】
本発明は、匍匐害虫や飛翔害虫、特にコバエを捕獲するための害虫捕獲器およびこの害虫捕獲器を用いる害虫捕獲方法に関する。
【背景技術】
【０００２】
一般に、コバエは、腐った植物、ゴミなどに発生し、俊敏に飛んだり、食卓や台所などを歩き回ったりする。コバエのうち、キノコバエは、腐った植物の周りを好み、幼虫は朽木や有機物の多い土壌中の腐食物などを餌とする。また、観葉植物の腐葉土に混入した卵から生育するため、コバエは園芸用プランターなどに発生しやすい。
コバエは、見た目に不快であるだけでなく、植物や糞尿にたかるため食品工場や飲食店に深刻な被害をもたらすことがある。
【０００３】
そのため、従来から、コバエの捕獲器が多く提案されている。特許文献１には、害虫誘引成分を収容した容器内部へ害虫を誘引し捕獲する害虫捕獲具が記載されている。
特許文献２には、ショウジョウバエ、キノコバエ、チョウバエ等の飛翔害虫に対して、食酢や香料を含む誘引成分を飛翔害虫トラップに収容することが記載されている。
特許文献３には、キノコバエ等の飛翔害虫は風に向かって飛翔する性質を有することを利用して、送風機による風速を規定して、飛翔害虫を捕獲することが記載されている。
特許文献４には、容器色により飛翔害虫を誘引し捕獲できることが記載されている。
特許文献５には、液状の殺虫成分と揮散性誘因成分および蒸散抑制物質からなる薬剤組成物を保持した薬剤保持体を容器に収納し、容器の蓋状体に設けられた開孔部より捕獲する飛翔害虫捕獲具が記載されている。
【０００４】
また、非特許文献１では、光によってキノコバエの成虫を誘引し、粘着シートで捕獲するトラップを考案し、効果的な誘引源の検討を行った旨が記載されている。
しかしながら、これらの多くの検討にも拘らず、コバエ等の捕獲効果は満足できるものではなかった。非特許文献１には、キノコバエに対する効果的な防除方法がないと記載されている。
【先行技術文献】
【特許文献】
【０００５】
【特許文献１】特開2010-57502号公報
【特許文献２】特開2013-151470号公報
【特許文献３】特開2005-204602号公報
【特許文献４】特開2011-142876号公報
【特許文献５】特開2011-101613号公報
【非特許文献】
【０００６】
【非特許文献１】石谷栄次ら、「ツクリタケを加害するクロバネキノコバエ成虫に対する光誘引粘着トラップの考案とその誘引性」、日本応用動物昆虫学会誌、第41巻  第３号；141-146（1997）
【発明の概要】
【発明が解決しようとする課題】
【０００７】
飛翔害虫であるショウジョウバエやノミバエのようなコバエ類と異なり、キノコバエはベイトトラップなどで捕獲が困難な害虫であることが知られている。そのため、本発明者らは精緻にキノコバエの生態行動を観察することで、キノコバエは他のコバエのように飛翔するよりも地面を歩き回る個体のほうが多いことを発見した。
【０００８】
従って、本発明は、飛翔害虫のみならず、歩行する匍匐害虫をも効率よく捕獲できる害虫捕獲器および害虫捕獲方法を提供することを課題とする。
【課題を解決するための手段】
【０００９】
本発明者は、上記課題を解決するべく鋭意検討を行った結果、以下の構成からなる解決手段を見出し、本発明を完成するに至った。
（１）地面から立設された害虫捕獲部を有し、この捕獲部は下端が地面に接し、さらに地面と近接した位置に粘着剤下端がある粘着剤層を備えた害虫捕獲器。
（２）前記害虫捕獲部の下部に設けられ、少なくとも先端が地面に接し、この先端から前記害虫捕獲部の表面に延びる害虫誘導路をさらに備えた（１）に記載の害虫捕獲器。
（３）前記害虫誘導路の表面は、地面に接する先端から前記害虫捕獲部の表面に向かって地面からの高さが大きくなる傾斜面である（２）に記載の害虫捕獲器。
（４）前記害虫誘導路が複数の突条である（２）または（３）に記載の害虫捕獲器。
（５）上記（１）〜（４）のいずれかに記載の害虫捕獲器を用いる害虫捕獲方法。
【発明の効果】
【００１０】
本発明によれば、地面から立設された害虫捕獲部は、粘着剤層を備えているので、害虫捕獲部に飛んでくる飛翔害虫を直接捕獲することができ、また地面と近接した位置に粘着剤下端がある粘着剤層を備えているので、地面を歩き回る匍匐害虫は地面から害虫捕獲部に這い上がり粘着剤層にて粘着捕獲することができる。したがって、飛翔および匍匐のいずれか、あるいは両方の行動をとるコバエ等の害虫を効率よく捕獲することができる。
【図面の簡単な説明】
【００１１】
【図１】本発明の一実施形態に係る害虫捕獲器を示す斜視図である。
【図２】図１に示す害虫捕獲器の正面図である。
【図３】図１に示す害虫捕獲器の背面図である。
【図４】図１に示す害虫捕獲器のＡ−Ａ線断面図である。
【図５】本発明の他の実施形態に係る害虫捕獲器を示す正面図である。
【発明を実施するための形態】
【００１２】
以下、本発明の一実施形態に係る害虫捕獲器を図面に基づいて詳細に説明する。
【００１３】
図１に示すように、本実施形態に係る害虫捕獲器１は、害虫捕獲部（以下、捕獲部という）２と、この捕獲部２の下部に設けられた害虫誘導路（以下、誘導路という）３とを備える。
【００１４】
捕獲部２は、図１および図２に示すように、木の葉形の板状で構成され、表面には害虫を捕獲するための粘着剤層４が設けられている。捕獲部２の背面は、図３に示すように、木の葉のデザインであることを示す溝５が形成されている。なお、溝５に代えて、突起であってもよい。
【００１５】
捕獲部２における粘着剤層４を設けた表面には、粘着剤層４を囲む壁部６が形成されている。すなわち、板状の捕獲部２とその表面に設けた壁部６とで粘着剤を注入し収容するための、いわば受け皿となっている。壁部６の下部は誘導路３を構成している。
【００１６】
本実施形態における粘着剤層４は、壁部６で囲まれた領域全面に形成されているが、領域の一部のみであってもよい。粘着剤層４は、例えば、塗布、流し込み、貼着などの手段で形成することができる。粘着剤層４の材質は、特に制限されず、例えば、ゴム系、アクリル系などの各種粘着剤が挙げられる。
【００１７】
壁部６の上部および両側部の内面には複数の突起８が形成されている。これらの突起８を設けているのは、壁部６内の粘着剤層４に手が触れるのを防止するためである。突起８は壁部６の外面にあってもよい。
【００１８】
さらに、捕獲部２には、誘導路３より下部に、害虫捕獲器１を地中に刺して立設するための突き刺し部７が形成されている。突き刺し部７には補強リブ７１が一体に形成されている。図２および図４は、突き刺し部７を地面Ｇに突き刺して捕獲部２をほぼ鉛直姿勢で固定した様子を示している。
【００１９】
誘導路３は、壁部６の下端直線部６１上に形成された平行な複数の突条３１からなる。なお、本実施形態では、説明の便宜上、突条３１と壁部６の下端直線部６１とを含めて誘導路３ということがある。
【００２０】
誘導路３は、下端直線部６１が地面Ｇに接し、誘導路３の先端から捕獲部２の表面に延びている。このとき、誘導路３の表面、すなわち複数の突条３１の表面は、地面Ｇに接する先端から捕獲部２の表面に向かって地面Ｇからの高さが大きくなる傾斜面となっている。
【００２１】
このように、誘導路３を複数の突条３１で構成したのは、本発明者らが、キノコバエ等の匍匐害虫は地面Ｇを歩き回ることが多く、特に突条３１のように細い通路の縁に沿って歩行する習性を有することを見出したことに基づく。すなわち、地面Ｇを歩行する匍匐害虫は、地面Ｇから突条３１に移り、突条３１に沿って捕獲部２へと誘導され、粘着剤層４で捕獲される。
【００２２】
図４に示すように、地面Ｇに対する突条３１の表面の傾斜角度αは、匍匐害虫が地面Ｇから突条３１の表面に這い上がるのを阻害しない角度であるのがよく、通常、地面Ｇから１°〜９０°、好ましくは５°〜４５°、さらに好ましくは１０°〜４０°程度であるのがよい。
【００２３】
誘導路３は、少なくとも先端が地面Ｇに接していることが必要である。これにより、匍匐害虫を突条３１の表面に円滑に誘導することができる。本実施形態では、誘導路３の下部にある下端直線部６１の下面全体が地面Ｇに接している。突条３１の幅や個数はとくに制限されるものではなく、害虫捕獲器１の大きさ等に応じて適宜決定することができる。
【００２４】
捕獲部２は地面Ｇに対してほぼ鉛直姿勢（すなわち図４に示す地面Ｇに対する角度θが９０°程度）であるのが、飛翔害虫の捕獲や省スペース化のうえで好ましいが、捕獲部２が地面Ｇに対して鉛直姿勢である必要はなく、地面Ｇに対して傾斜していてもよい。すなわち、捕獲部２の表面（粘着面）の地面Ｇに対する角度θは地面Ｇに対して３０°〜１５０°、好ましくは４０°〜１３５°、さらに好ましくは６０°〜１２０°程度であるのがよい。
【００２５】
本実施形態の害虫捕獲器１は、例えば、園芸用プランターなどの地面Ｇに捕獲部２を立設させてコバエ等の害虫を捕獲するために使用される。害虫捕獲器１は、表面に粘着剤層４を有する捕獲部２と、少なくとも先端が地面に接する誘導路３とを備えるので、地面を這い回る害虫は誘導路３から捕獲部２へと誘導して捕獲できると共に、飛翔害虫は捕獲部２の粘着剤層４で直接捕獲することができる。特に、キノコバエのように、飛翔するよりも、地面を歩行する個体が多い害虫に対して有効である。
【００２６】
従って、本実施形態の害虫捕獲器１は、種々の飛翔害虫や匍匐害虫に適用可能であり、特にショウジョウバエ、キノコバエ、チョウバエ等のコバエに好適であり、なかでもキノコバエの防除に最適である。
【００２７】
本発明の他の実施形態に係る害虫捕獲器１´を図５に示す。この害虫捕獲器１´は、上記の実施形態における誘導路３を設けずに、表面に粘着剤層４を有する板状の捕獲部２で構成されている。そのため、匍匐害虫は地面Ｇから直接、捕獲部２に這い上がることになる。その他は、前述の実施形態と同じであるので、同一符号を付し、説明を省略する。
【００２８】
地面Ｇから粘着剤層４の下端までの距離としては、害虫が容易に這い上がれる距離であるのがよく、具体的には０〜３０ｍｍ、好ましくは０〜２０ｍｍ、さらに好ましくは０〜１０ｍｍ程度がよい。この距離は、前述の実施形態にも適用可能である。
【００２９】
以上の説明では、表面に粘着剤層４を有する捕獲部２と、少なくとも先端が地面に接する誘導路３を有する害虫捕獲器１について説明したが、本発明は、上記実施形態に限定されるものではなく、種々の改良や改変が可能である。
例えば、捕獲部２の外観形状は木の葉状に限定する必要はない。また、捕獲部２の表面の壁部６および突起８は省略することができ、更には、突刺し部７や溝５も省略することができる。
さらに、粘着剤層４は、捕獲部２の片面のみならず、両面に設けてもよい。その際、害虫誘導路３や壁部６も両面に設けてもよい。
【実施例】
【００３０】
以下、試験例を挙げて本発明を具体的に説明するが、本発明はこれらの試験例に限定されるものではない。
【００３１】
［試験例］
誘導路の有無による害虫捕獲力の違いを評価した。
（供試虫）
キノコバエ
（検体）
検体１：図１〜４に示す本発明の実施形態に係る害虫捕獲器１
検体２：本発明の実施形態に係る害虫捕獲器１において、害虫誘導路３を切除した害虫捕獲器１´
（試験方法）
１．キノコバエが自然発生している部屋に培養土を敷き詰めたバット（50×30×10 cm）を設置した。
２．バットの中心にキノコバエの温床となっているシイタケの菌床（5×10×10 cm）を設置した。
３．バットの対角に検体１，２を２つずつ（すなわち、バットの四隅に検体１，２を１つずつ、合計４つ）ほぼ鉛直姿勢で捕獲部下端が地面と接する状態で設置した。このとき、地面と粘着剤下端との距離はいずれも約７ｍｍとした。設置から６時間後の検体１，２のそれぞれの合計捕獲頭数を計測し、さらに、その合計捕獲頭数を検体数（すなわち２）で除して、平均値を求めた。
（試験結果）
試験は４回行い、その平均値を求めた。その結果を表１に示す。
【表１】
2020025502.tif 000003
表１から、検体１，２のいずれであっても、効率よくキノコバエを捕獲できることがわかる。とりわけ、検体１のように、害虫誘導路３を有する場合は、捕獲頭数が向上していた。
【符号の説明】
【００３２】
１    害虫捕獲器
２    害虫捕獲部
３    害虫誘導路
４    粘着剤層
５    溝
６    壁部
７    突き刺し部
８    突起
９、９´    検体
６１  下端直線部
７１  補強リブ
Ｇ    地面
【図１】
2020025502.tif 000004
【図２】
2020025502.tif 000005
【図３】
2020025502.tif 000006
【図４】
2020025502.tif 000007
【図５】
2020025502.tif 000008